(57)【要約】【課題】通常の撮影画像とは異なる特殊な画像効果を附加した画像を簡単に取得し得る撮影機器を提供する。【解決手段】光軸Ｏに沿って移動可能な複数の可動レンズ群３ｂ，３ｃ，３ｄを有し可動レンズ群の各々の光軸上における位置を変更して変倍，焦点調節，収差補正を行う撮影光学系と、撮影光学系における複数の可動レンズ群の光軸上における位置を検出する複数の位置検出手段２２と、撮影光学系の状態情報と位置検出手段の出力信号に基く各可動レンズ群の位置情報とを出力する信号出力部２１と、撮影画像及び各種情報を表示する表示部６１と、信号出力部から出力された状態情報及び位置情報を受信して表示部に表示させる制御手段６６とを有する。【選択図】図１
2014013322.tif 000002
【特許請求の範囲】
【請求項１】
光軸に沿って移動可能な複数の可動レンズ群を有し、上記可動レンズ群の各々の光軸上における位置を変更して変倍，焦点調節，収差補正を行う撮影光学系と、
上記撮影光学系における複数の可動レンズ群の光軸上における位置を検出する複数の位置検出手段と、
上記撮影光学系の状態情報と上記位置検出手段の出力信号に基く各可動レンズ群の位置情報とを出力する信号出力部と、
撮影画像及び各種情報を表示する表示部と、
上記信号出力部から出力された上記状態情報及び上記位置情報を受信して上記表示部に表示させる制御手段と、
を有することを特徴とする撮影機器。
【請求項２】
上記表示部に対応するタッチパネルをさらに備え、
上記制御手段は、上記タッチパネルへのタッチ操作に応じて出力される操作指示信号に基いて上記複数の可動レンズ群の各々に設けられた駆動手段を駆動制御することを特徴とする請求項１に記載の撮影機器。
【請求項３】
上記信号出力部は、上記複数の可動レンズ群の各々の可動範囲情報を出力することを特徴とする請求項１に記載の撮影機器。
【請求項４】
撮影光学系における複数の可動レンズ群の光軸上における位置を位置検出手段によって検出し、上記撮影光学系の状態を判別するステップと、
上記撮影光学系の状態情報と上記撮影光学系の各可動レンズ群の位置情報とを出力するステップと、
上記状態情報及び上記レンズ位置情報を受信して、表示部に表示させるステップと、
タッチパネルからの操作指示信号を受けて、その指示に対応する可動レンズ群の位置変更制御駆動を行うステップと、
を有することを特徴とするレンズ位置設定変更操作方法。
【発明の詳細な説明】
【技術分野】
【０００１】
この発明は、簡単な操作によってレンズ設定の変更操作を行って個性的な画像を取得することのできる撮影機器と、この撮影機器におけるレンズ位置設定変更操作方法に関するものである。
【背景技術】
【０００２】
従来、撮影光学系により結像された光学像を光電変換素子等によって順次画像信号に変換し、これにより得られた画像信号を所定の形態の画像データとして記録媒体に記録し得ると共に、この記録媒体に記録された画像データを画像として再生表示する液晶表示装置（ＬＣＤ）等の画像表示装置を備えて構成された撮影機器、例えばデジタルカメラやビデオカメラ等が一般に実用化され、広く普及している。
【０００３】
この種の撮影機器においては、取得された画像データに対して様々な信号処理を施すことによって、多種多様な画像出力結果を容易に得ることができるという特徴がある。例えば、各種の光学フイルタを用いた撮影時に得られる効果に相当する画像効果や、特殊形態の撮影レンズ（例えば魚眼レンズやアオリ機構付き撮影レンズ等）を用いた撮影時に得られる画像効果，露出調節やホワイトバランス調整，カラーバランス調整等の各種撮影設定値の調整により得られる画像効果等、従来、光学的アクセサリ等を用いたり、あるいは撮影時の設定変更等に基いて行われてきた各種の撮影手法の工夫等によって得られる画像効果と同様の画像効果を附加した画像を、撮影と同時にあるいは通常撮影によって取得した画像データに対して画像信号処理を施すのみで容易に取得し得る。
【０００４】
このように、日常的な撮影対象に対して上述のような各種の画像処理効果を附加して得られる非現実的もしくは芸術的風味を持つ画像を作品として提示するといった風潮が、近年、見られるようになっている。
【０００５】
一方、撮影機器において、撮影光学系を構成するレンズ鏡筒が着脱自在に構成されるいわゆるレンズ交換式の撮影機器（カメラ）が一般に普及している。このレンズ交換式の撮影機器においては、一台のボディに対して各種様々な形態のレンズ鏡筒を選択的に装着し得るようになっている。この種の撮影機器においては、ボディとレンズ鏡筒とが接続されると、両者間で互いに電気的な通信を行って、各種の動作、例えばオートフォーカス（ＡＦ）やズーミング等が適確に行われるように構成される。つまり、ボディ側の制御部は、ボディに装着されたレンズ鏡筒の情報を取得して、そのレンズ鏡筒に最適な条件による制御を実行し得るようにされている。
【０００６】
こうしてボディ側で取得したレンズ鏡筒の情報は、例えばボディ側の表示部に表示させることによって、使用者が確認できるようにすることができる。このような技術は、例えば特開２０１０−１８１７２５号公報等によって従来より開示されている。
【０００７】
上記特開２０１０−１８１７２５号公報等によって開示されている撮影機器においては、装着されたレンズ鏡筒のレンズ構成を示す画像をボディ側表示部に表示させる構成を備える。
【先行技術文献】
【特許文献】
【０００８】
【特許文献１】特開２０１０−１８１７２５号公報
【発明の概要】
【発明が解決しようとする課題】
【０００９】
ところが、上記特開２０１０−１８１７２５号後方によって開示されている手段では、取得したレンズ鏡筒の情報をボディ側の表示部に単に表示するというものである。
【００１０】
従来の撮影機器においては、上述したように各種の画像効果を得るための手段として、信号処理用プログラムが予め用意されており、それらを組み合わせて適用することができるようにはなっているものの、それらのみでは、使用者の表現意図を充分に満足させることができないという問題点がある。
【００１１】
一方、撮影機器における撮影光学系は、通常、複数の光学レンズのそれぞれを適宜、光軸に沿う方向に移動させることによって、フォーカシング，ズーミング等の動作に加えて、光学レンズに生じる各種の収差補正等を行うように構成されるのが通常である。この場合、所定の状態における各光学レンズの光軸上の位置は、製造者が規定した位置に正確に位置決めされるように構成される。つまり、ある所定の状態（例えば所定のズーム位置等）に設定された時、各光学レンズはそれぞれが予め規定された位置（製造者が規定した正規の位置）に配置され、これを変更することができないようになっているのが普通である。
【００１２】
しかしながら、製造者によって規定された以外の位置に所定の光学レンズを移動させると、例えば画質の一部（例えば四隅部等）を劣化させたり、正規の位置で抑止されるべき収差等が発生する等によって、より効果的で芸術的な画像を取得することができるといったこともあり得る。
【００１３】
他方、近年においては、撮影機器に具備される表示装置の表示画面上に、いわゆるタッチパネル等の操作部材を設け、表示装置の表示画面に表示される画像や、同表示画面上に表示される指示指標等をタッチパネル越しにタッチ操作あるいはスライド操作等を行うことによって、各種の操作を行い得るようにしたものが種々実用化されている。このタッチパネルに代表される操作部材を用いる操作体系は、従来のボタンやダイヤル等の操作部材を用いる操作系に比べて直感的な操作を行い得るという利点がある。
【００１４】
そこで、このようなタッチパネル等の操作部材を積極的に採用することにより、使用者による直感的な操作を、画像処理に関する各種の設定値の変更設定に連動させることができれば至便である。
【００１５】
本発明は、上述した点に鑑みてなされたものであって、その目的とするところは、撮影光学系の可動レンズ群の位置設定を使用者が任意に行って撮影を行うことによって、通常の撮影画像とは異なる特殊な画像効果を附加した芸術的な画像を簡単に取得することのできる撮影機器及びレンズ位置設定変更操作方法を提供することである。
【課題を解決するための手段】
【００１６】
上記目的を達成するために、本発明の一態様の撮影機器は、光軸に沿って移動可能な複数の可動レンズ群を有し上記可動レンズ群の各々の光軸上における位置を変更して変倍，焦点調節，収差補正を行う撮影光学系と、上記撮影光学系における複数の可動レンズ群の光軸上における位置を検出する複数の位置検出手段と、上記撮影光学系の状態情報と上記位置検出手段の出力信号に基く各可動レンズ群の位置情報とを出力する信号出力部と、撮影画像及び各種情報を表示する表示部と、上記信号出力部から出力された上記状態情報及び上記位置情報を受信して上記表示部に表示させる制御手段とを有する。
【００１７】
また、本発明の一態様のレンズ位置設定変更操作方法は、撮影光学系における複数の可動レンズ群の光軸上における位置を位置検出手段によって検出し上記撮影光学系の状態を判別するステップと、上記撮影光学系の状態情報と上記撮影光学系の各可動レンズ群の位置情報とを出力するステップと、上記状態情報及び上記レンズ位置情報を受信して表示部に表示させるステップと、タッチパネルからの操作指示信号を受けてその指示に対応する可動レンズ群の位置変更制御駆動を行うステップとを有する。
【発明の効果】
【００１８】
本発明によれば、撮影光学系の可動レンズ群の位置設定を使用者が任意に行って撮影を行うことによって、通常の撮影画像とは異なる特殊な画像効果を附加した芸術的な画像を簡単に取得することのできる撮影機器及びレンズ位置設定変更操作方法を提供することができる。
【図面の簡単な説明】
【００１９】
【図１】本発明の一実施形態の撮影機器（カメラ）の内部構成の概略を示すブロック構成図
【図２】図１の撮影機器（カメラ）のレンズ鏡筒の撮影光学系を構成する複数のレンズ群の各状態における光軸上における位置を示す図
【図３】図１の撮影機器（カメラ）のレンズ鏡筒における複数のレンズ群と、そのうちの可動レンズ群の駆動機構を簡略に示す概念図であって、第四レンズ群が最も撮像面寄りの位置にある状態を示す図
【図４】図１の撮影機器（カメラ）のレンズ鏡筒における複数のレンズ群と、そのうちの可動レンズ群の駆動機構を簡略に示す概念図であって、第四レンズ群が光軸上を図３の状態から被写体側へと移動した時の状態を示す図
【図５】図１の撮影機器（カメラ）を用いて撮影を行う際の作用を示す図であって、「レンズカスタマイズモード」の設定をしている様子を示す図
【図６】図１の撮影機器（カメラ）における「レンズカスタマイズモード」設定画面の一例を示す図
【図７】図１の撮影機器（カメラ）における「レンズカスタマイズモード」詳細設定画面の一例を示す図
【図８】図１の撮影機器（カメラ）における「レンズカスタマイズモード」設定画面の変形例を示す図
【図９】図１の撮影機器（カメラ）における「レンズカスタマイズモード」設定画面の別の変形例を示す図
【図１０】図１の撮影機器（カメラ）のカメラ本体のボディ制御部側の作用を示すフローチャート
【図１１】図１の撮影機器（カメラ）のレンズ鏡筒のレンズ制御部側の作用を示すフローチャート
【図１２】図１の撮影機器（カメラ）に装着されるレンズ鏡筒のフラッシュメモリに予め記憶されるレンズ固有情報一覧の例示の表
【発明を実施するための形態】
【００２０】
以下、図示の実施の形態によって本発明を説明する。
【００２１】
本発明の一実施形態は、例えば撮影光学系により結像された光学像を光電変換素子等によって順次画像信号に変換し、これにより得られた画像信号を所定の形態の画像データとして記録媒体に記録し得ると共に、この記録媒体に記録された画像データを画像として再生表示する画像表示装置等を備えて構成された撮影機器、例えばデジタルカメラやビデオカメラ等に適用した場合の例示である。
【００２２】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００２３】
図１は、本実施形態の撮影機器であるカメラ１の内部構成の概略を示すブロック構成図である。まず、本発明の一実施形態の撮影機器であるカメラ１の概略構成を図１を用いて以下に説明する。
【００２４】
図１に示すように、本実施形態の撮影機器（以下、単にカメラという）１は、カメラ本体２と、撮影レンズ鏡筒（以下、単にレンズ鏡筒という）３と、電子ビューファインダー装置（以下、ＥＶＦと略記する）４等によって主に構成されている。
【００２５】
本カメラ１は、カメラ本体２に対してレンズ鏡筒３が着脱自在に構成されるいわゆるレンズ交換式カメラシステムを構成している。なお、カメラ本体２に対しては、ＥＶＦ４も着脱自在に構成されている。
【００２６】
レンズ鏡筒３は、複数の光学レンズからなる複数のレンズ群（３ａ，３ｂ，３ｃ，３ｄ等；詳細後述）と、各レンズ群をそれぞれ別個に独立して保持する複数のレンズ支持部材（１２，１３，１４，１５等；詳細後述）と、固定筒１１と、絞り機構１６と、複数の駆動部である複数のドライバ（１７，１８，１９，２０；詳細後述）と、レンズ制御部２１と、位置検出部である位置センサ２２と、フラッシュメモリ２５と、レンズ操作部２４と、レンズ側インターフェース２６等を具備して主に構成されている。
【００２７】
レンズ制御部２１は、カメラ本体２側の後述するボディ制御部６６と協働してレンズ鏡筒３を統括的に制御する制御回路である。そのために、レンズ制御部２１には、上記各ドライバ（１７，１８，１９，２０），位置センサ２２，レンズ操作部２４，フラッシュメモリ２５，レンズ側インターフェース２６等が電気的に接続されている。
【００２８】
レンズ鏡筒３におけるレンズ制御部２１は、内部にフォーカス制御部２１ａ，ズーム制御部２１ｂ，絞り制御部２１ｃ等の回路部を有している。フォーカス制御部２１ａは後述する二群（フォーカス）レンズ支持筒駆動用のフォーカスドライバ１７を介してフォーカス光学系１３を駆動制御する制御回路である。ズーム制御部２１ｂは後述する三群（ズーム）レンズ支持筒駆動用のズームドライバ１８を介してズーム光学系１４を駆動制御する制御回路である。絞り制御部２１ｃは絞りドライバ１９を介して絞り機構１６を駆動制御する制御回路である。
【００２９】
レンズ鏡筒３は、上述したように複数の光学レンズ等からなる複数のレンズ群を有して構成されており、これら複数の光学レンズは、光軸Ｏに沿って並べて配設されている。これにより、上記複数の光学レンズは、被写体の光学像を形成し、その被写体像を撮像素子５２（後述する）の受光面上に結像させる役目をしている。
【００３０】
レンズ鏡筒３における撮影光学系は、第一レンズ群３ａ，第二レンズ群３ｂ，第三レンズ群３ｃ，第四レンズ群３ｄ，第五レンズ群３ｅ（図１では不図示）の５つのレンズ群で構成されている（詳述は後述する；図２〜図４参照）。
【００３１】
これら複数のレンズ群は、各レンズ群を構成する全ての光学レンズの光軸Ｏが一致するように、レンズ鏡筒３の先端側から順に所定の間隔を置いて並べて配設されている。なお、図面の煩雑化を避けるために、図１においては、固定レンズ群である第一レンズ群３ａと、可動レンズ群である第二レンズ群３ｂ，第三レンズ群３ｃ，第四レンズ群３ｄのみを模式的に図示し、固定レンズ群である第五レンズ群３ｅの図示を省略している。
【００３２】
本レンズ鏡筒３における撮影光学系のうち、第二レンズ群３ｂは焦点調節動作に主に寄与するフォーカスレンズ群である。第二レンズ群３ｂは、可動鏡筒（可動部材）である第二レンズ群支持筒１３によって保持されており、第二レンズ群支持筒１３はレンズ制御部２１のフォーカス制御部２１ａの制御下でフォーカスドライバ１７によって光軸Ｏ方向に進退駆動される。
【００３３】
第二レンズ群支持筒１３の駆動手段であるフォーカスドライバ１７は、例えばボイスコイルモータ（ＶＣＭ）等のリニアモータ式の駆動源（アクチュエータ）と、この駆動源の駆動機構等及び該駆動源を駆動制御する電気回路等を含んで構成される。
【００３４】
また、第三レンズ群３ｃ，第四レンズ群３ｄは、被写体像の光学的変倍動作に主に寄与するズームレンズ群である。第三レンズ群３ｃは可動部材である第三レンズ群支持筒１４によって保持されており、第三レンズ群支持筒１４はレンズ制御部２１の制御下で三群（ズーム）レンズ支持筒駆動用の駆動手段であるズームドライバ１８によって光軸Ｏ方向に進退駆動される。また、第四レンズ群３ｄは第四レンズ群支持筒１５に保持されており、第四レンズ群支持筒１５は第四レンズ群支持筒駆動用の駆動手段であるドライバ２０によって光軸Ｏ方向に進退駆動される。この場合において、第四レンズ群支持筒１５の駆動制御は、第三レンズ群支持筒１４の移動方向及び移動量に応じて行われる。したがって、上記ドライバ２０は、ズーミング制御の補助的な役目等を行う駆動部である。
【００３５】
ズームドライバ１８及び第四レンズ群支持筒駆動用のドライバ２０は、例えばステッピングモータ等の駆動源（アクチュエータ）と、この駆動源の駆動機構等及び該駆動源を駆動制御する電気回路等を含んで構成される。
【００３６】
第三レンズ群支持筒１４と第四レンズ群支持筒１５とは、例えばコイルスプリング等の付勢部材によって連結されていて、両者間の駆動機構中（例えば駆動力伝達機構中のバックラッシ等）により生じる移動誤差を吸収するように構成されている（不図示）。
【００３７】
絞り機構１６は、上記複数の光学レンズを通過する被写体からの光量を調節する機構部である。絞り機構１６は、絞り機構駆動用の絞りドライバ１９を介してレンズ制御部２１によって駆動制御される。絞りドライバ１９は、例えばステッピングモータ等の駆動源及びその駆動力を伝達する駆動機構等を含んで構成されている。
【００３８】
フラッシュメモリ２５は、例えばレンズ鏡筒３に関する製品情報や固有のレンズ情報（例えばレンズ構成図，光路図等も含む；図１２参照）等、各種の情報が予め記憶された記憶媒体である。レンズ制御部２１は、フラッシュメモリ２５から必要となる各種情報（データ）を適宜読み込んで、各種の制御を実行する際に参照する。また、レンズ制御部２１は、必要に応じてフラッシュメモリ２５に対し所定の情報（データ）を書き込むこともできるようになっている。
【００３９】
なお、図１２は、個々のレンズ鏡筒３に設けられるフラッシュメモリ２５に予め記憶されるレンズ固有情報の例示である。
【００４０】
位置センサ２２は、第二レンズ群支持筒１３，第三レンズ群支持筒１４，第四レンズ群支持筒１５の光軸Ｏ上におけるそれぞれの位置を検出する位置検出手段である。位置センサ２２の検出信号はレンズ制御部２１へと出力される。これにより、レンズ制御部２１は、位置センサ２２の出力信号に基いて可動鏡筒である各レンズ支持筒（１３，１４，１５）の駆動制御を、各ドライバ（１７，１８，２０）を介して行う。
【００４１】
なお、上記カメラ１においては、各レンズ支持筒（１３，１４，１５）の位置を検出する位置検出手段（位置センサ２２）としては、例えば各レンズ支持筒（１３，１４，１５）の他の支持筒等に対する相対的な位置を検出する相対位置検出センサと、各レンズ支持筒（１３，１４，１５）の固定筒１１に対する絶対的な位置（例えば基準位置）を検出するための絶対位置検出センサ等が含まれる。
【００４２】
具体的には、第二レンズ群支持筒１３の位置を検出する位置センサとして例えば磁気センサ素子（ＭＲセンサ素子）等が適用される。また、第三，第四レンズ群支持筒１４，１５の位置を検出する位置センサとして例えばフォトインタラプタ（ＰＩ），リニアエンコーダ等が適用されている。
【００４３】
磁気センサ（ＭＲ（Magneto Resistive）センサ）は、例えば可動部材（第二レンズ群支持筒１３）側に固設されたセンサ素子と、このセンサ素子に対向する部位であって固定部材（固定筒１１）側に固設され磁力を帯びて形成された磁気スケールとによって構成される相対位置検出センサである。
【００４４】
また、絶対位置検出センサは、例えば光軸Ｏ方向に所定間隔を置いて固定部材（固定筒１１）側に固設されたフォトインタラプタ等の二つのセンサ素子と、この二つのセンサ素子に対応する部位であって可動部材（第三，第四レンズ群支持筒１４，１５）側に固設された遮光板とによって構成される（後述する図３，図４参照）。
【００４５】
レンズ側インターフェース２６は、レンズ制御部２１に接続される電気回路上に設けられる複数の電気接点部材等からなる。これに対応させてカメラ本体２側にはボディ側インターフェース６８（電気接点部材）が、レンズ側インターフェース２６と対向する位置に設けられている。そして、レンズ鏡筒３とカメラ本体２とを一体に連結状態とした時には、レンズ側インターフェース２６とボディ側インターフェース６８とが接触状態になることによって、レンズ鏡筒３のレンズ制御部２１とカメラ本体２のボディ制御部６６との間の電気的な接続が確立する。
【００４６】
こうしてレンズ鏡筒３とカメラ本体２とが、レンズ側インターフェース２６及びボディ側インターフェース６８を介して電気的に接続されると、レンズ制御部２１とボディ制御部６６とは相互に通信可能な状態となる。これにより、レンズ制御部２１とボディ制御部６６との間では、適宜所定のタイミングで各種の情報（データ）等の送受信が行われる。具体的には、例えばレンズ制御部２１は、後述のレンズ操作部２４から生じる指示信号や位置センサ２２からの出力信号（検出信号）等に応じた情報（データ）信号や、フラッシュメモリ２５に記録されているレンズ鏡筒３の固有情報等等をボディ制御部６６へと送信する。この場合において、レンズ制御部２１は信号出力部として機能する。一方、後述するボディ制御部６６は、ボディ側操作部６５（後述）の指示信号に応じた所定の制御信号（駆動制御信号等）をレンズ制御部２１へと送信する。
【００４７】
レンズ操作部２４は、例えば焦点調節動作モード（自動焦点調節動作モード（ＡＦモード），手動焦点調節動作モード（ＭＦモード））の切り換え操作や、ズーム操作等を行うための各種の指示操作部材等（スイッチ類及びその電気回路等）のほか、通常撮影もーととマクロ撮影モードとを切り換える操作部材，スイッチ類等を含んで構成される。
【００４８】
一方、カメラ本体２は、シャッタ機構５０と、シャッタ機構駆動用のシャッタドライバ５５と、撮像素子５２，アナログ処理部５３，アナログ−デジタル変換部（以下、ＡＤ変換部と略称する）５４等を含んで構成される撮像部５１と、この撮像部５１を駆動制御する撮像ドライバ５６と、ＡＥ処理部５７と、ＡＦ処理部５９と、画像データ処理部５８と、画像データ圧縮展開部６０と、表示ドライバ６１ａ及び表示パネル６１ｂとからなる表示部６１と、メモリインターフェース（以下、メモリＩＦと略記する）６２ａ及び記録媒体６２ｂとからなる記録部６２と、ＳＤＲＡＭ６３と、フラッシュメモリ６４と、タッチパネル６５ａ等を含む操作部６５と、ボディ制御部６６と、通信用バス６７と、ボディ側インターフェース６８と、ボディ側接眼用インターフェース６９と、電源回路７０等を具備して主に構成されている。
【００４９】
シャッタ機構５０は、撮像素子５２の受光面上に被写体像を露光する時間を制御する機構部である。シャッタ機構５０は、シャッタドライバ５５を介してボディ制御部６６によって駆動制御される。
【００５０】
撮像素子５２は、例えばＣＭＯＳ，ＣＣＤ等の光電変換素子等が適用される。撮像素子５２は、撮影光学系（３ａ，３ｂ，３ｃ，３ｄ等を含む複数の光学レンズ等）によって集光された光束によって形成された被写体像を所定の受光面（撮像面Ｉ；図２参照）上に受光させ、この光学的結像に対し光電変換処理を行う。ここで、被写体像（光学像）の光量を電荷量を表わすアナログ信号へと変換する。このような作用により撮像素子５２は光電変換素子と呼ばれる。撮像素子５２によって生成された電気信号（アナログ画像信号）はアナログ処理部５３へと出力される。
【００５１】
アナログ処理部５３は、撮像素子５２から出力された電気信号（アナログ画像信号）を受けて、リセットノイズ等を低減した上で波形整形を行った後、所望の明るさとなるようにゲインアップ処理等を行う信号処理部である。アナログ処理部５３による処理済み信号は、ＡＤ変換部５４へと出力される。
【００５２】
ＡＤ変換部５４は、アナログ処理部５３から出力されたアナログ画像信号を受けて、これをデジタル画像信号（以後、画像データという）に変換する信号処理部である。ＡＤ変換部５４から出力された画像データは、通信用バス６７を介してＳＤＲＡＭ６３へと送られ、ここに一時的に記憶される。
【００５３】
通信用バス６７は、カメラ１の内部で発生した各種のデータ信号を、本カメラ１を構成する各種の内部構成ユニットへと転送するための転送路である。通信用バス６７は、撮像ドライバ５６を介した撮像部５１（のうち符号５３，５４等），ＡＥ処理部５７，ＡＦ処理部５９，画像データ処理部５８，画像データ圧縮展開部６０，表示ドライバ６１ａを介した表示部６１，メモリＩＦ６２ａを介した記録部６２，ＳＤＲＡＭ６３，ボディ制御部６６等に接続されている。
【００５４】
ＳＤＲＡＭ６３は、ＡＤ変換部５４において生成された画像データや、画像データ処理部５８，画像データ圧縮展開部６０において処理された画像データ等の各種データを一時的に記憶する記憶部である。
【００５５】
ＡＥ処理部５７は、ＳＤＲＡＭ６３に一時的に記憶されたＡＤ変換後の画像データに基いて被写体輝度を算出するデータ処理部である。なお、ＡＥ処理部５７において扱うデータ、即ち被写体輝度算出用データとしては、上記の画像データ以外に、例えば専用測光センサを設け、この専用測光センサからの出力データとしてもよい。
【００５６】
ＡＦ処理部５９は、上記画像データから高周波成分の信号を取り出して、ＡＦ（Auto Focus；オートフォーカス）積算処理を行って合焦評価値を取得するデータ処理部である。
【００５７】
画像データ処理部５８は、上記ＳＤＲＡＭ６３から読み出した画像データに対して様々な画像処理を施すデータ処理部である。この画像データ処理部５８において各種の処理が行われた後の画像データは、再度ＳＤＲＡＭ６３に一時的に記憶される。
【００５８】
画像データ圧縮展開部６０は、所定の圧縮方式による画像データの圧縮処理や、所定の圧縮方式により圧縮された圧縮画像データの展開（伸長）処理等を行うデータ処理部である。この画像データ圧縮展開部６０において取り扱う画像データが静止画像データである場合には、例えばＪＰＥＧ規格に準拠した方式等による圧縮及び展開処理を行う。また、画像データ圧縮展開部６０において取り扱う画像データが動画像データである場合には、例えばＭｏｔｉｏｎ−ＪＰＥＧ規格やＨ．２６４規格等に準拠した各種方式等による圧縮及び展開処理を行う。なお、静止画に係る画像データの記録を行う場合には、画像データ圧縮展開部６０は、ＳＤＲＡＭ６３から画像データを読み出し、読み出した画像データを、例えばＪＰＥＧ圧縮方式に従った圧縮処理を施して、圧縮処理済みのＪＰＥＧ画像データを、再度ＳＤＲＡＭ６３に一時記憶するという、一連の処理が実行される。
【００５９】
ボディ制御部６６は、ＳＤＲＡＭ６３に一時記憶されたＪＰＥＧ画像データに対して、必要となるＪＰＥＧヘッダ情報等を附加してＪＰＥＧファイルを作成し、作成されたＪＰＥＧファイルをメモリＩＦ６２ａを介して記録媒体６２ｂへと記録する処理を行う。
【００６０】
記録部６２は、画像データを始めとする各種データを記録するための構成部であって、メモリＩＦ６２ａと記録媒体６２ｂとによって構成される。
【００６１】
メモリＩＦ６２ａは、ボディ制御部６６の制御下で記録媒体６２ｂをドライブし、該記録媒体６２ｂに記録済みの画像データファイルを読み込んだり、所定形式の画像データを記録媒体６２ｂに記録する等の処理を行う際のインターフェースである。
【００６２】
記録媒体６２ｂは、画像データ等を記録するための媒体であって、例えばカメラ本体２に対して着脱自在に配設されるカード形状の半導体メモリ、いわゆるメモリカード等が適用される。なお、記録媒体６２ｂの形態は、この形態に限られることはなく、他の形態、例えばカメラ本体２内に固定される媒体としてもよいし、半導体メモリ以外にも、光学板媒体，磁気媒体等、様々な形態のものを適用し得る。
【００６３】
表示部６１は、例えば液晶表示装置（ＬＣＤ）等の表示パネル６１ｂと、この表示パネル６１ｂをボディ制御部６６の制御下で駆動制御する表示ドライバ６１ａとによって構成される。
【００６４】
表示部６１は、例えば撮影動作直後の画像データを受けて所定の短い時間（例えば３〜５秒程度）だけ撮影取得結果としての画像を表示パネル６１ｂに表示するレックビュー表示、記録媒体６２ｂに記録済みの画像データ（ＪＰＥＧファイル等）等に基く画像（静止画像，動画像等）の再生表示や撮影動作時におけるライブビュー表示等の表示を行う。また、表示部６１は、各種設定を行う際のメニュー表示や、タッチパネル６５ａと連動して各種操作を行う際のタッチパネル用操作ボタン表示等も表示する。
【００６５】
ここで、例えば記録媒体６２ｂに記録済みの画像データ（ＪＰＥＧファイル）に基いて画像再生を行う場合には、ボディ制御部６６は、画像データ圧縮展開部６０を介して記録媒体６２ｂに記録済みの画像データ（ＪＰＥＧファイル）の中から所望のデータを読み出して伸張処理（展開処理）を施す。画像データ圧縮展開部６０において伸張処理された画像データはＳＤＲＡＭ６３に一時記憶される。続いて、ボディ制御部６６は、表示ドライバ６１ａを介して上記伸張処理済み画像データをＳＤＲＡＭ６３から読み出し、表示部６１を用いて表示可能な映像信号に変換処理した後、表示パネル６１ｂへと出力する。これにより、表示パネル６１ｂには画像表示がなされる。
【００６６】
ボディ制御部６６は、当該カメラ本体２の各種シーケンスを統括的に制御する制御手段である。また、ボディ制御部６６は、レンズ制御部２１と協働してレンズ鏡筒３側の各種ドライバ（１７，１８，１９，２０）を駆動制御する制御手段として機能する。ボディ制御部６６には、操作部６５と、フラッシュメモリ６４とが直接接続されている。
【００６７】
ボディ制御部６６は、位置指定制御部６６ａと、タッチ検出制御部６６ｂと、指定禁止部６６ｃと、表示制御部６６ｄ等を内部に有する。
【００６８】
位置指定制御部６６ａは、操作部６５のタッチパネル６５ａからの入力信号を受けて、タッチ操作に対応する表示パネル６１ｂ上の位置を判定し指定する制御回路である。
【００６９】
タッチ検出制御部６６ｂは、操作部６５のタッチパネル６５ａからの入力信号を検出し、タッチ操作やスライド操作（スライド方向，スライド量等）等を判定する制御回路である。
【００７０】
指定禁止部６６ｃは、例えばレンズカスタマイズモード時に表示パネル６１ｂに表示するレンズ群情報（詳細は後述する）に関し、装着されているレンズ鏡筒３の固有情報に含まれる指定禁止情報を、視覚的に表示する制御を行う回路部である。
【００７１】
表示制御部６６ｄは、表示部６１及びＥＶＦ４を制御して、表示パネル６１ｂや接眼表示部７１の表示制御を、表示ドライバ６１ａや接眼表示用ドライバ（不図示；後述する）を介して行う制御回路である。
【００７２】
操作部６５は、本カメラ１に対する各種操作を行うための複数の操作部材及び対応する操作スイッチ等によって構成される。使用者が操作部６５のうちの所定の操作部材を操作すると、対応する操作スイッチから所定の指示信号が発生し、その指示信号は、ボディ制御部６６へと伝達される。この指示信号を受けて、ボディ制御部６６は、適宜操作に応じた各種シーケンスを実行する。操作部６５としては、具体的には、例えば電源ボタン，シャッターリリースボタン，メニューボタン，メニューボタンによって呼び出された情報に基き表示パネル６１ｂに表示されるメニュー表示を見ながら各種設定等を行う際に使用するコントロールダイヤル，操作モードの切換操作を行うモード設定切換ダイヤル，各種設定操作の際に使用するファンクションボタン，動画撮影の開始操作及び停止操作時に使用する動画ボタン，再生モードに切り換える再生ボタン等のほか、各種の指示を入力するための入力用操作部材、例えばタッチパネル６５ａ等が含まれる。このタッチパネル６５ａは、例えば表示部６１の表示パネル６１ｂの外表面上に重ねて配置される。なお、操作部６５に含まれる各種の操作部材の機能等については、従来の撮影機器等に採用されているものと同様であるものとして、その詳細説明は省略する。
【００７３】
フラッシュメモリ６４は、ホワイトバランスモードに応じたホワイトバランスゲイン，ローパスフィルタ係数等のカメラ動作に必要となる各種パラメータ，銀塩粒子による粒状感に似せた粒状パターンの画像データ，カメラ１を特定するための固有情報、例えば製品名，製造番号等の各種の情報が予め記憶されているメモリ部である。さらに、フラッシュメモリ６４には、ボディ制御部６６にて実行される各種プログラム等も予め記憶されている。したがって、ボディ制御部６６は、フラッシュメモリ６４に記憶されているプログラムを適宜のタイミングで読み込んで実行する。その際、ボディ制御部６６は、各種シーケンス処理に必要となる各種のパラメータ等を、フラッシュメモリ６４から読み込む。
【００７４】
ボディ側インターフェース６８は、ボディ制御部６６に接続される電気回路上に設けられる複数の電気接点部材等からなり、レンズ鏡筒３との通信を確保するためのインターフェースである。ボディ側インターフェース６８は、上述のレンズ側インターフェース２６に対応させてカメラ本体２側に設けられる電気接点部材である。そして、レンズ鏡筒３とカメラ本体２とを一体に連結状態とした時に、レンズ側インターフェース２６とボディ側インターフェース６８とが接触状態になって、レンズ鏡筒３のレンズ制御部２１とカメラ本体２のボディ制御部６６との間の電気的な接続が確立する。
【００７５】
ボディ側接眼用インターフェース６９は、後述するＥＶＦ用インターフェース７２と接続されることで、カメラ本体２とＥＶＦ４との電気的な接続を確保するためのインターフェースである。
【００７６】
電源回路７０は、バッテリ等の電源と、この電源を制御する回路等によって構成され、ボディ制御部６６の制御下で、本カメラ１のカメラ本体２及びレンズ鏡筒３内の各構成ユニットや回路ユニットに対し必要となる電力を適宜供給する構成部である。
【００７７】
ＥＶＦ４は、内部に接眼表示部７１と、ＥＶＦ用インターフェース７２等を有して構成される電子ビューファインダー装置である。本実施形態のカメラ１におけるＥＶＦ４は、上述したように、ボディ側接眼用インターフェース６９とＥＶＦ用インターフェース７２との挿抜によって、カメラ本体２に対して着脱自在に構成されている。
【００７８】
接眼表示部７１は、例えば液晶表示装置（ＬＣＤ）等の表示パネル及びこれを駆動制御する接眼表示用ドライバ（不図示）等によって構成される。
【００７９】
なお、上記以外のその他の構成部については、本発明に直接関連しないので、従来一般的なカメラと同様構成であるものとして、それらの詳細説明及び図示は省略する。
【００８０】
次に、本実施形態のカメラ１のレンズ鏡筒３が各状態にあるときの撮影光学系を構成する複数のレンズ群の移動状態を、図２を用いて概念的に説明する。
【００８１】
図２は、本実施形態のカメラ１のレンズ鏡筒３の撮影光学系を構成する複数のレンズ群のみを示し、（Ａ）〜（Ｅ）においてレンズ鏡筒の各状態における各レンズ群の光軸上における位置を示している。このうち、
（Ａ）は、通常撮影モード時においてズーム広角端（最も短焦点距離にある位置）にあって無限遠合焦時の各レンズ群位置（Ｗ −ｉｎｆ）、
（Ｂ）は、通常撮影モード時においてズーム中間位置（中間焦点距離にある位置）にあって無限遠合焦時の各レンズ群位置（Ｓ −ｉｎｆ）、
（Ｃ）は、通常撮影モード時においてズーム中間位置（中間焦点距離にある位置）であってズーム光学系がマクロモード時と同位置に配置された時の無限遠合焦時の各レンズ群位置（Ｍ１ −ｉｎｆ）、
（Ｄ）は、通常撮影モード時においてズーム望遠端（最も長焦点位置）にあって無限遠合焦時の各レンズ群位置（Ｔ −ｉｎｆ）、
（Ｅ）は、マクロモード時における所定状態時の各レンズ群位置（Ｍ２−Ｘ）、
をそれぞれ示している。
【００８２】
なお、上記図２（Ｂ），図２（Ｃ）で示す中間位置とは、当該レンズ鏡筒３において変倍可能な焦点距離、即ち広角端と望遠端との間における所定の位置を示す。
【００８３】
また、上記図２（Ｃ）において示す各レンズ群位置（Ｍ１−ｉｎｆ）の状態は、図２（Ｂ）の中間焦点距離状態と図２（Ｄ）の望遠端状態との間の状態、即ちズーミング途中の状態である。
【００８４】
これら複数のレンズ群（３ａ，３ｂ，３ｃ，３ｄ，３ｅ）は光軸Ｏを一致させた状態で光軸Ｏに沿って並べて配置され、このうちの可動レンズ群（３ｂ，３ｃ，３ｄ）が光軸Ｏに沿う方向に移動することになる。
【００８５】
図２に示すように、本実施形態のカメラ１のレンズ鏡筒３において採用される撮影光学系は、被写体側から撮像面Ｉ側に順に負屈折力の第一レンズ群３ａ（先端側固定レンズ群），負屈折力の第二レンズ群３ｂ（フォーカスレンズ群），正屈折力の第三レンズ群３ｃ（ズームレンズ群Ａ），負屈折力の第四レンズ群３ｄ（ズームレンズ群Ｂ），正屈折力の第五レンズ群３ｅ（撮像面Ｉ側固定レンズ群）からなる。
【００８６】
通常撮影モードにおいては、図２（Ａ）に示す広角端（Ｗ−ｉｎｆ）から図２（Ｄ）に示す望遠端（Ｔ−ｉｎｆ）までの間で変倍動作（ズーミング）がなされる。その際の各レンズ群は、第一レンズ群３ａは固定され、第二レンズ群３ｂは撮像面Ｉ側に凸状の軌跡で移動し、第三レンズ群３ｃは被写体側にのみ移動し、第四レンズ群３ｄは被写体側にのみ移動し、第五レンズ群３ｅは固定されている。
【００８７】
通常撮影モード時における合焦動作（フォーカシング）は、第二レンズ群３ｂの光軸Ｏ方向への移動によって行われる。遠距離側から近距離側への合焦動作は、第二レンズ群３ｂが被写体側へと繰り出されることにより行われる。
【００８８】
なお、第二レンズ群３ｂを通常撮影時よりもさらに被写体側へと繰り出すことにより、近接撮影を行なうことができる。このように第二レンズ群３ｂを近接領域で移動させる場合において、第三，第四レンズ群３ｃ，３ｄの配置を図２（Ｃ）に示す状態としたときに、レンズ収差を良好に抑えることができるようにしている。
【００８９】
図２（Ｅ）に示されるマクロモードに切り換わると、第二，第三，第四レンズ群３ｂ，３ｃ，３ｄが通常撮影モード時の可動領域内における所定の位置（予め規定されている位置）に移動する。
【００９０】
図２に示す例では、第二レンズ群３ｂ（フォーカスレンズ群）は、図２（Ｄ）に示される通常撮影モード時の望遠端無限遠合焦時（Ｔ−ｉｎｆ）の位置に移動する。一方、第三レンズ群３ｃは、図２（Ｂ）に示される中間焦点距離の状態と図２（Ｄ）に示される望遠端状態との間の領域における所定の位置（規定位置）に移動する。また、第四レンズ群３ｄは、通常撮影モード時における第二レンズ群３ｂとの相対的な位置よりも撮像面Ｉ側に移動する。
【００９１】
なお、図２においては、通常撮影モードの望遠端無限遠合焦時のレンズ群配置（Ｄ）からマクロモード（Ｅ）へ切り換わった場合のレンズ群の移動方向を矢印で示している。これとは別に、例えば通常撮影モードの広角端無限遠合焦時のレンズ群配置（Ａ）の状態にある時にマクロモードへと切り換わった場合には、第二，第三，第四レンズ群３ｂ，３ｃ，３ｄの各々のレンズ群は、図２（Ａ）で示すレンズ位置からそれぞれが被写体側へ移動して図２（Ｅ）で示す所定の位置に配置される。
【００９２】
マクロモード時のフォーカシングは、第二レンズ群３ｂの光軸Ｏ方向への移動により行われる。近距離への合焦動作は第二レンズ群３ｂの被写体側への移動により行われ、遠距離への合焦動作は第二レンズ群３ｂの撮像面Ｉ側への移動により行われる。
【００９３】
上述したように、可動レンズ群の位置は、位置検出手段としての位置センサ２２によって検出される。可動レンズ群（３ｂ，３ｃ，３ｄ）はそれぞれが個別に独立して駆動制御されるようになっていることから、それぞれの位置検出を行うために各対応する検出センサが設けられている。
【００９４】
ここで、例えば第四レンズ群支持筒１５の位置検出手段の構成について、図３，図４を用いて以下に簡単に説明する。
【００９５】
図３，図４は、本実施形態のカメラのレンズ鏡筒における複数のレンズ群と、そのうちの可動レンズ群の駆動機構を簡略に示す概念図である。このうち図３は第四レンズ群３ｄが最も撮像面Ｉ寄りの位置にある状態を示している。図４は第四レンズ群３ｄが光軸上を図３の状態から被写体側へと移動した時の状態を示している。
【００９６】
上述したように、本実施形態のカメラ１のレンズ鏡筒３においては、第一レンズ群３ａ（第一レンズ群支持部材１２；図１参照），第五レンズ群３ｅ（支持部材は不図示），固定筒１１が固定部材であり、第二レンズ群３ｂを保持する第二レンズ群支持筒１３，第三レンズ群３ｃを保持する第三レンズ群支持筒１４，第四レンズ群３ｄを保持する第四レンズ群支持筒１５が可動部材である。第二レンズ群支持筒１３はフォーカスドライバ１７によって駆動される。第三レンズ群支持筒１４はズームドライバ１８によって駆動される。第四レンズ群支持筒１５はドライバ２０によって駆動される。
【００９７】
そして、例えば第四レンズ群支持筒１５には遮光板１５ａが設けられている一方、この遮光板１５ａに対応させた固定部材（固定筒１１）側の部位であって、上記遮光板１５ａが通過しかつ光軸Ｏ方向に所定間隔を置いてフォトインタラプタ等の二つのセンサ素子２２ｂａ，２２ｂｂが固設されている。
【００９８】
このように構成される上記レンズ鏡筒３において、例えば第四レンズ群３ｄが図３の位置、即ち最も撮像面Ｉ寄りの位置にある時、二つのフォトインタラプタ２２ｂａ，２２ｂｂは共にオフ状態を示す「通過」状態となる（第１領域）。
【００９９】
この状態から第四レンズ群支持筒１５が光軸Ｏに沿って被写体側（前方側；図３，図４において左方）へと移動すると、第四レンズ群支持筒１５の遮光板１５ａが後方側のフォトインタラプタ２２ｂｂのみを遮蔽する状態（オン状態）になる（不図示；第２領域）。このとき、一方のフォトインタラプタ２２ｂａはオフ状態を示す「通過」状態であり、他方のフォトインタラプタ２２ｂｂはオン状態を示す「遮光」状態である（不図示）。
【０１００】
この状態から第四レンズ群支持筒１５がさらに光軸Ｏに沿って被写体側へと移動すると、第四レンズ群支持筒１５の遮光板１５ａは二つのフォトインタラプタ２２ｂａ，２２ｂｂを同時に遮蔽する状態（オン状態）になる（不図示；第３領域）。
【０１０１】
この状態からさらに第四レンズ群支持筒１５が光軸Ｏに沿って被写体側へと移動すると、図４に示すように、第四レンズ群支持筒１５の遮光板１５ａは二つのフォトインタラプタ２２ｂａ，２２ｂｂのうち前方側のフォトインタラプタ２２ｂａのみを遮蔽する状態になる（図４；第４領域）。このとき、前方側のフォトインタラプタ２２ｂａはオン状態を示す「遮光」状態であり、後方側のフォトインタラプタ２２ｂｂはオフ状態を示す「通過」状態となっている。
【０１０２】
このように、二つのフォトインタラプタ２２ｂａ，２２ｂｂの出力信号を検出することにより、第四レンズ群３ｄの絶対位置を検出することができる。
【０１０３】
以上のように構成された本実施形態のカメラ１を用いて撮影を行う際の作用を、図５〜図９を用いて以下に説明する。
【０１０４】
カメラ１が電源オン状態にあって、撮影動作を実行し得る撮影待機状態にあるとき、使用者は、カメラ本体２の操作部６５に含まれる各種の操作部材のうちの所定の操作部材を操作することによって、本カメラ１についての各種の設定を行なうことができる。ここで行い得る設定は、例えば撮影モード時には、撮影動作モードの各種形態の選択設定や選択した撮影動作モード内の詳細条件設定等がある。
【０１０５】
本実施形態のカメラ１においては、具体的には例えば、撮影動作を行う撮影モード時において、「レンズカスタマイズモード」という動作形態を選択できる。この「レンズカスタマイズモード」は、撮影光学系を構成する複数のレンズ群のうちの可動レンズ群について、通常撮影時に設定されるべきレンズ位置とは異なる（光軸上の）位置に配置して撮影することで、その結果、取得される撮影画像には、特殊な効果（例えばレンズ収差を意図的に発生させた描写効果等）が付与されるという撮影動作モードの一種である。
【０１０６】
カメラ１が撮影待機状態にあるときに、使用者が操作部６５の所定の操作部材を操作して、「レンズカスタマイズモード」を選択設定すると、その指示信号を受けてボディ制御部６６は、レンズ制御部２１との通信を行って、装着されているレンズ鏡筒３の固有情報を取得する。取得されたレンズ固有情報は、ＳＤＲＡＭ６３に一時的に記憶される。
【０１０７】
続いて、ボディ制御部６６は、表示部６１を制御して表示パネル６１ｂの表示画面６１ｘ（図５，図６参照）に、上記レンズ固有情報に基いてレンズ構成図６１ｏを表示させると共に、表示画面上の所定の位置に「レンズカスタマイズモード」である旨を表示するモード名表示６１ｐと、この表示画面の表示中にタッチパネル６５ａを用いて行い得る複数のタッチアイコンを表示させる。タッチアイコンとしては、例えば図５，図６の符号６１ｍで示す「群選択」ボタンや、この設定モードから抜けるための「終了」ボタン（同図符号６１ｎで示す）等である（図５，図６参照）。なお、レンズ構成図６１ｏの近傍には、カスタマイズ（レンズ位置変更）の可否を示す可否表示６１ｐを表示させるようにしている。具体的には、図６の例示では、カスタマイズが可能な可動レンズ３ｂ，３ｃ，３ｄに対して可否表示６１ｐを付した例を示している。この図６に示す表示を、例えば「レンズカスタマイズモード」設定画面というものとする。
【０１０８】
この「レンズカスタマイズモード」設定画面が表示されている状態において、使用者は、図５に示すように手指１００等を用いてタッチパネル６５ａに対するタッチ操作を行って、カスタマイズ（例えば光軸上の位置変更）が可能とされている可動レンズ群のうちの所望の可動レンズ群を選択する。その選択操作としては、例えばタッチパネル６５ａに対して表示パネル６１ｂ上の対象部位をタッチした後、群選択ボタン６１ｍをタッチ操作する。また、これとは別操作として、例えば表示パネル６１ｂ上の対象部位を長押しタッチ操作としたり、所定以下の時間内に連続二回タッチ操作する等としてもよい。
【０１０９】
上述のタッチ操作によって、カスタマイズ（光軸上の位置変更）を所望する可動レンズ群の選択操作が行なわれると、表示部６１の表示パネル６１ｂは、図７に示す表示に切り換わる。この表示画面６１ｘにおいては、ライブビュー画像表示枠６１ｔと、図５，図６の設定画面に戻すための「戻る」ボタン６１ｓと、移動量の変位を調整操作するためのスライドバー６１ｒ等が表示される。この図７に示す表示を「レンズカスタマイズモード」詳細設定画面というものとする。
【０１１０】
ここで、使用者は、カメラ１を図５に示すように被写体１０１に向けた状態とする。これによって、図７の詳細設定画面のライブビュー画像表示枠６１ｔには、被写体１０１を含む所定範囲のライブビュー画像が表示される。
【０１１１】
使用者は、この図７の詳細設定画面におけるライブビュー画像表示枠６１ｔのライブビュー画像を見ながら、スライドバー６１ｒのスライド操作を行う。スライドバー６１ｒのスライド操作を行うと、実際に上記操作で選択した可動レンズ群が光軸に沿う方向に移動する。その間においてもライブビュー画像は継続して表示される。つまり、ライブビュー画像表示枠６１ｔには、スライドバー６１ｒの操作に応じて可動レンズ群が移動した時の画像効果をリアルタイムに反映させた画像が表示される。したがって、使用者はスライドバー６１ｒを操作子ながらライブビュー画像を確認することで、所望の画像効果が得られるように微調整を行うことができる。
【０１１２】
上述したように、本実施形態のカメラ１におけるレンズ鏡筒３においては、可動レンズ群のうち第三レンズ群３ｃと第四レンズ群３ｄとが連携して変倍効果を奏するように構成されている。この場合において、上記第三レンズ群３ｃと第四レンズ群３ｄとの一方だけを規定の位置から独立させてズレた位置に配置すると、図７に示すように画面周辺部に収差が発生する等によって、通常のレンズ性能とは異なる効果を附加した画像の取得が可能となる。
【０１１３】
なお、図８は、図５，図６に示す「レンズカスタマイズモード」設定画面についての変形例である。
【０１１４】
図８の例において、符号６１ｐ，６１ｍ，６１ｎ，６１ｑは、図６と同様である。図８においては、これに加えて符号６１ｕによってレンズ構成を文字で示している（図６の符号６１ｏに相当）。また、図８では、カスタマイズ可否表示６１qに加えて、文字情報によってもカスタマイズの可否を表示するようにしている。
【０１１５】
上述の図６の設定画面では画像情報を表示させるようにしているが、図８に示す変形例では、文字情報のみで構成される設定画面としている。図６の例示では画像表示によって視覚的に判りやすい画面を構成することができる反面、レンズ鏡筒３のフラッシュメモリ２５に予め記録しておく固有情報のデータ量が大きくなる。これに対して、図８の例示では、固有情報のデータ量が少なくて済むという利点がある。
【０１１６】
また、図９は、図５，図６の「レンズカスタマイズモード」設定画面についての別の変形例である。この図９に示す例では、符号６１ｏで示す表示領域に、レンズ構成図に光路図を加えた画像を表示させるようにしている。その他の表示は、図５，図６と同様である。なお、図９に示す例において図示するレンズ鏡筒の撮影光学系は、上述の図６に示す例にて図示するレンズ鏡筒の撮影光学系とは異なる形態のものを図示している。
【０１１７】
以上のように構成された本実施形態のカメラ１の作用を、図１０，図１１のフローチャートを用いて以下に説明する。図１０は、カメラ本体のボディ制御部側の作用を示すフローチャートである。図１１はレンズ鏡筒のレンズ制御部側の作用を示すフローチャートである。
【０１１８】
カメラ１が電源オン状態になると、図１０のステップＳ１１において、ボディ制御部６６は、現在設定されている動作モードが撮影モードであるか否かを確認する。ここで、撮影モードに設定されていることが確認されると、次のステップＳ１２の処理に進む。一方、撮影モード以外に設定されている場合には、ステップＳ３３の処理に進む。
【０１１９】
ステップＳ１２において、ボディ制御部６６は、ボディ側インターフェース６８の状態を監視して、レンズ鏡筒３の着脱操作、即ちレンズ交換操作が行われて別のレンズ鏡筒３が装着されたか否かの確認を行う。ここで、レンズ交換が確認された場合には、ステップＳ１３の処理に進む。一方、レンズ交換が確認されない場合には、ステップＳ１４の処理に進む。
【０１２０】
ステップＳ１３において、ボディ制御部６６は、レンズ制御部２１との間の通信を確立するレンズ通信処理を実行する。その後、ステップＳ１４の処理に進む。
【０１２１】
ステップＳ１４において、ボディ制御部６６は、上述のステップＳ１３（もしくは以前に実行済みの）レンズ通信処理によって確立したレンズ鏡筒３、即ちカメラ本体２に現在装着されているレンズ鏡筒３についての情報のうちレンズ固有情報としてのレンズ種類等や、現在のレンズ群状態（例えばフォーカス設定位置，ズーム設定位置等）等の各種の情報を取得する。その後、ステップＳ１５の処理に進む。
【０１２２】
なお、上述のステップＳ１３の処理にて、レンズ交換操作が確認されなかったにも関らず、次のステップＳ１４の処理にて通信を行うことができなかったり、ステップＳ１３の処理にてレンズ通信処理が確立できなかったような場合等には、例えばカメラ本体２にレンズ鏡筒３が装着されていないか、若しくは装着状態不良等の状況が考えられる。この場合には、ボディ制御部６６は、表示部６１を制御して、その旨の警告表示等を表示させるといった措置が必要であるが、本フローチャートにおいては、その場合の処理は省略している。
【０１２３】
ここで、カメラ本体２のボディ制御部６６において、上記ステップＳ１３，Ｓ１４の処理が実行されたときのレンズ鏡筒３のレンズ制御部２１における処理シーケンスを、図１１のフローチャートに示す。
【０１２４】
図１１のステップＳ４１において、レンズ制御部２１は、現在のレンズ状態を判定する。
【０１２５】
続いてステップＳ４２において、レンズ制御部２１は、レンズ側インターフェース２６の状態を監視して、レンズ交換操作が行われたか否かを確認する。ここで、レンズ交換が確認された場合には、ステップＳ４８の処理に進む。一方、レンズ交換が確認されない場合には、ステップＳ４３の処理に進む。
【０１２６】
ステップＳ４３において、レンズ制御部２１は、カメラ本体２のボディ制御部６６との定期通信が確立されているか否かの確認を行う。ここで、定期通信の確立が確認された場合には、ステップＳ４４の処理に進む。また、定期通信が確立していない場合には、ステップＳ４１の処理に戻り、以降の処理を繰り返す。
【０１２７】
カメラ本体２との定期通信の確立を確認してステップＳ４４の処理に進むと、このステップＳ４４において、レンズ制御部２１は、現在設定されているレンズ状態（各レンズ群の位置情報等）をボディ制御部６６に向けて送信する。その後、ステップＳ４５の処理に進む。
【０１２８】
ステップＳ４５において、レンズ制御部２１は、ボディ制御部６６側からのカメラ信号の受信を待機する。その後、ステップＳ４６の処理に進む。
【０１２９】
ステップＳ４６において、レンズ制御部２１は、カメラからの指示信号の確認をする。ここで、カメラからの指示信号が確認された場合には、次のステップＳ４７の処理に進む。また、カメラからの指示信号が確認されない場合には、ステップＳ４１の処理に戻り、以降の処理を繰り返す。
【０１３０】
ステップＳ４７において、レンズ制御部２１は、受信したカメラ指示信号に従って、対応するレンズ制御及び絞り制御等を実行する。その後、ステップＳ４１の処理に戻り、以降の処理を繰り返す。
【０１３１】
一方、上述のステップＳ４２の処理にて、レンズ交換操作が確認されてステップＳ４８の処理に進むと、このステップＳ４８において、レンズ制御部２１は、今回のレンズ交換操作によって新たに装着されたレンズ鏡筒３についての固有情報のうち各レンズ群の画像情報等を、ボディ制御部６６へと送信する。その後、ステップＳ４９の処理に進む。
【０１３２】
ステップＳ４９において、レンズ制御部２１は、以前に装着されていたレンズ鏡筒３に関するレンズ群位置情報等がフラッシュメモリ２５に記憶されているか否かを確認する。ここで、レンズ群位置情報等が記憶されている状態であれば、次のステップＳ５０の処理に進み、このステップＳ５０において、レンズ制御部２１は、フラッシュメモリ２５の位置情報をリセットする処理を実行する。その後、ステップＳ５１の処理に進む。一方、上述のステップＳ４９の処理にて、レンズ群位置情報等が記憶されていない状態である場合には、ステップＳ５１の処理に進む。
【０１３３】
ステップＳ５１において、レンズ制御部２１は、現在装着されている新たなレンズ鏡筒３の現在設定されている各レンズ群の位置情報をボディ制御部６６に対して送信する。その後、ステップＳ４１の処理に戻り、以降の処理を繰り返す。
【０１３４】
以上のように、レンズ鏡筒３のレンズ制御部２１とカメラ本体２のボディ制御部６６とは通信を行う。これにより、ボディ制御部６６は、レンズ鏡筒３の固有情報や、そのときの状態などの情報を取得する。
【０１３５】
図１０に戻って、ステップＳ１５において、ボディ制御部６６は、操作部６５を監視して撮影モードにおける各種の撮影形態のうちから「レンズカスタマイズモード」が選択されたか否かの確認を行う。ここで、「レンズカスタマイズモード」が選択されたことが確認されると、ステップＳ２５の処理に進む。一方、「レンズカスタマイズモード」が選択されていない場合には、ステップＳ１６の処理に進む。
【０１３６】
ステップＳ１６において、ボディ制御部６６は、操作部６５を監視してＡＥ処理やＡＦ処理等を指示する操作があれば、それに従う。その後、ステップＳ１７の処理に進む。
【０１３７】
ステップＳ１７において、ボディ制御部６６は、撮像ドライバ５６を介して撮像部５１を制御して連続的に画像データを取得すると共に、表示部６１を制御して取得した画像データに基く画像を連続的に表示パネル６１ｂに表示するライブビュー画像表示処理（いわゆるスルー画処理）を実行する。その後、ステップＳ１８の処理に進む。
【０１３８】
ステップＳ１８において、ボディ制御部６６は、表示部６１を制御して表示パネル６１ｂの表示画面上に撮影動作を行うための操作部表示を行う。この操作部表示は、タッチパネル６５ａを利用して、撮影に関する準備操作、例えばズーミング，フォーカシング，ＡＦ等の操作を行なうことができるようにするための表示である。このような操作部表示については、近年、タッチパネルを用いて撮影操作を行い得るカメラにおいて一般的な作用であるので、それに準じるものとし、詳細説明は省略する。
【０１３９】
ステップＳ１９において、ボディ制御部６６は、操作部６５を監視して撮影準備操作が行われたか否かの確認を行う。ここで、撮影準備操作が確認された場合には、ステップＳ２２の処理に進む。一方、撮影準備操作が確認されない場合には、ステップＳ２０の処理に進む。
【０１４０】
ステップＳ２２において、ボディ制御部６６は、レンズ制御部２１との通信を介してレンズ鏡筒３側のレンズ操作部２４の操作がなされたか否かの確認を行う。ここで、レンズ操作部２４の操作が確認された場合には、ステップＳ２３の処理に進む。また、レンズ操作部２４の操作が確認されない場合には、ステップＳ２４の処理に進む。
【０１４１】
ステップＳ２３において、ボディ制御部６６は、駆動制御可能範囲内で対象レンズ（可動レンズ群）の駆動制御を行う。即ち、指示に従って駆動制御が可能な規定範囲内においてズーミング制御，フォーカシング制御等を実行する。その後、ステップＳ２４の処理に進む。
【０１４２】
ステップＳ２４において、ボディ制御部６６は、上記ステップＳ１９の処理においてなされた操作に応じたパラメータ変更処理を実行する。その後、ステップＳ２０の処理に進む。
【０１４３】
ステップＳ２０において、ボディ制御部６６は、操作部６５を監視し、所定のシャッターリリース操作（所定のシャッターリリースボタンの押下操作、若しくはタッチパネル６５ａによるリリース操作等）がなされたか否かの確認を行う。ここで、シャッターリリース操作が確認されたら、ステップＳ２１の処理に進む。一方、シャッターリリース操作が確認されなければ、ステップＳ１１の処理に戻り、以降同様の処理を行う。
【０１４４】
ステップＳ２１において、ボディ制御部６６は、撮像部５１，表示部６１等を制御して通常の撮影処理を実行する。その後、ステップＳ１１の処理に戻り、以降同様の処理を行う。
【０１４５】
一方、上述のステップＳ１５の処理にて、「レンズカスタマイズモード」が選択されたことが確認されてステップＳ２５の処理に進むと、このステップＳ２５において、ボディ制御部６６は、取得済みのレンズ状態情報に基いてレンズ状態表示を表示部６１の表示パネル６１ｂを用いて行う。このレンズ状態表示は、具体的には、上述の図６（図８，図９）で示す「レンズカスタマイズモード」設定画面である。
【０１４６】
続いて、ステップＳ２６において、ボディ制御部６６は、操作部６５、特にタッチパネル６５ａを監視して可動レンズ群が選択されたか否かの確認を行う。なお、この場合において、タッチパネル６５ａの入力信号は、ボディ制御部６６のタッチ検出制御部６６ｂが担うことになる。ここで、可動レンズ群の選択操作が確認された場合には、図６の表示画面を図７の表示画面に切り換える後、ステップＳ２７の処理に進む。一方、可動レンズ群の選択操作が確認されない場合には、ステップＳ３０の処理に進む。
【０１４７】
ステップＳ２７において、使用者は、図７の表示画面にてスライド操作等により所望の移動量を設定する。これによって、ボディ制御部６６の位置指定制御部６６ａは、対象レンズ群の位置を指定する。
【０１４８】
次に、ステップＳ２８において、ボディ制御部６６の指定禁止部６６ｃは、非対象レンズを現在位置に固定する。
【０１４９】
続いて、ステップＳ２９において、ボディ制御部６６は、対象レンズの可動範囲を判定する。その後、ステップＳ３１の処理に進む。
【０１５０】
対象レンズ、即ち使用者が指定し得る可動レンズは、レンズ鏡筒３内において光軸に沿って所定の範囲内でのみ移動が可能である。また、本レンズ鏡筒３においては複数の可動レンズ群が存在するため、各可動レンズ群の可動範囲は、現在設定されている各可動レンズ群の配置状況に応じて異なる。したがって、対象レンズ群を所望の指定位置に配置できるか否かは、そのときの非対象レンズ群の配置状況に鑑みて判定される。
【０１５１】
上述のステップＳ２６において、可動レンズ群の選択操作が確認されずに、ステップＳ３０の処理に進むと、このステップＳ３０において、ボディ制御部６６は、操作部６５（タッチパネル６５ａ）を監視してリセット操作がなされたか否かの確認を行う。ここで、リセット操作が確認された場合には、ステップＳ３２の処理に進み、このステップＳ３２において、ボディ制御部６６は、レンズ位置のリセット処理、即ち通常のレンズ位置に戻す処理を実行し、ステップＳ３１の処理に進む。一方、リセット操作が確認されない場合には、ステップＳ３１の処理に進む。
【０１５２】
ステップＳ３１において、ボディ制御部６６は、操作部６５（タッチパネル６５ａ）を監視して戻るボタン操作がなされたか否かの確認を行う。ここで、戻るボタンの操作が確認された場合には、ステップＳ１６の処理に進み、以降の同様の処理を繰り返す。また、戻るボタンの操作が確認されない場合には、ステップＳ２５の処理に進み、以降の同様の処理を繰り返す。
【０１５３】
また、上述のステップＳ１の処理にて、撮影モード以外の動作モードに設定されていると判断された場合に、ステップＳ３３に進むと、このステップＳ３３において、ボディ制御部６６は、現在設定されている動作モードが再生モードであるか否かを確認する。ここで、再生モードに設定されていることが確認されると、次のステップＳ３４の処理に進む。一方、再生モード以外に設定されている場合には、ステップＳ３６の処理に進む。
【０１５４】
ステップＳ３６において、ボディ制御部６６は、画像通信処理を実行する。この画像通信処理は、例えば外部機器との間で無線若しくは有線による通信を行って、撮影済み画像の転送等を実行する動作モードである。その後、ステップＳ１１の処理に戻る。
【０１５５】
なお、本実施形態のカメラ１における動作モードとしては、上述の撮影モード，再生モード，画像通信モードを有しているものとしている。もちろん、これら以外の動作モードを有するようにしてもよい。しかしながら、上記撮影モード以外の動作モードについては、本発明に直接関連しない部分であるので、その詳細説明は省略する。
【０１５６】
また、上記撮影モード，再生モード，画像通信モード以外の動作モードを有しているものとした場合には、図１０のフローチャートにおいて、ステップＳ３６の処理にて画像通信モード以外に設定されている場合の確認判定を行うようにすればよい。本実施形態では、上記３つの動作モードのみを有するものとしたので、ステップＳ３６の処理にて画像通信モードの終了後は、上述のステップＳ１１の処理に戻るようにしている。
【０１５７】
上述のステップＳ３３の処理にて再生モードに設定されていることが確認されて、ステップＳ３４の処理に進むと、このステップＳ３４において、ボディ制御部６６は、
表示部６１，記録部６２等を制御して、表示パネル６１ｂの表示画面上に、記録媒体６２ｂに記録済みの画像データのうち例えば最新の画像データに基く画像を表示させる画像再生（表示）処理を実行する。その後、ステップＳ３５の処理に進む。
【０１５８】
ステップＳ３５において、ボディ制御部６６は、操作部６５からの指示信号を監視して表示画像を変更する指示信号が生じたか否かの確認を行う。ここで、表示画像変更指示信号が確認された場合には、ステップＳ３７の処理に進む。また、表示画像変更指示信号が確認されない場合には、上述のステップＳ１１の処理に進み、以降の処理を繰り返す。
【０１５９】
ステップＳ３７において、ボディ制御部６６は、受信した表示画像変更指示信号に基いて、例えば表示中の最新画像の一つ前の画像データ若しくは記録媒体６２ｂに記録済み画像データのうちの最も旧い画像データ等に基く画像を、現在表示中の画像に変えて表示部６１に表示させる画像変更処理を実行する。その後、ステップＳ１１の処理に進み、以降の処理を繰り返す。
【０１６０】
以上説明したように上記一実施形態によれば、カメラ本体２とレンズ鏡筒３との間で通信を行うように構成し、レンズ鏡筒３（レンズ制御部２１）は予めフラッシュメモリ２５に記憶した固有情報やレンズ状態情報を、カメラ本体２（ボディ制御部６６）の要求によって送信し、これを受信したカメラ本体２（ボディ制御部６６）は表示部６１（表示パネル６１ｂ）に所定の形態で受信したレンズ固有情報（レンズ構成図，光路図等）やレンズ状態情報（位置情報，可動範囲情報等）を表示させる。
【０１６１】
使用者は、上記レンズ情報を表示させた表示部６１（表示パネル６１ｂ）を見ながら、表示部６１上のタッチパネル６５ａを操作して所望の可動レンズ群の位置変更操作を行う。この位置変更操作を受けてカメラ本体２（ボディ制御部６６）はレンズ鏡筒３（レンズ制御部２１）と協働してレンズ駆動用の各ドライバ１７，１８，２０を駆動制御する。
【０１６２】
この構成によって、通常撮影時における本来のレンズ位置とは異なる任意の位置（ただし可動範囲内における位置）に可動レンズを移動させた状態で撮影を行って、特殊な画像効果を附加した画像を簡単に取得することができる。
【０１６３】
また、可動レンズの位置設定時には、画像効果をリアルタイムに反映させたライブビュー画像を見ながら設定を行うことができるので、撮影によって得られるであろう画像効果の結果を予め容易に確認することができる。
なお、上記一実施形態においては、各種の表示を表示部６１を用いて行うようにしているが、ＥＶＦ４を用いて行なうようにしてもよい。
【０１６４】
上述の各実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。
【０１６５】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【０１６６】
本発明は、デジタルカメラ等の撮影機能に特化した電子機器である撮影機器に限られることはなく、撮影機能を備えた他の形態の電子機器、例えば携帯電話，録音機器，電子手帳，パーソナルコンピュータ，ゲーム機器，テレビ，時計，ＧＰＳ（Global Positioning System）を利用したナビゲーション機器等、各種の撮影機能付き電子機器にも適用することができる。
【符号の説明】
【０１６７】
１……カメラ，２……カメラ本体，３……レンズ鏡筒，
３ａ……第一レンズ群，３ｂ……第二レンズ群，３ｃ……第三レンズ群，３ｄ……第四レンズ群，３ｅ……第五レンズ群，
１１……固定筒，１２……第一レンズ群支持部材，１３……第二レンズ群支持筒，１４……第三レンズ群支持筒，１５……第四レンズ群支持筒，
１５ａ……遮光板，１６……絞り機構，
１７……フォーカスドライバ，１８……ズームドライバ，１９……絞りドライバ，２０……ドライバ，
２１……レンズ制御部，２１ａ……フォーカス制御部，２１ｂ……ズーム制御部，２１ｃ……絞り制御部，
２２……位置センサ，２２ｂａ，２２ｂｂ……フォトインタラプタ，
２４……レンズ操作部，２５……フラッシュメモリ，２６……レンズ側インターフェース，
５０……シャッタ機構，
５１……撮像部，５２……撮像素子，５３……アナログ処理部，５４……ＡＤ変換部，
５５……シャッタドライバ，５６……撮像ドライバ，５７……ＡＥ処理部，５８……画像データ処理部，５９……ＡＦ処理部，６０……画像データ圧縮展開部，
６１……表示部，６１ａ……表示ドライバ，６１ｂ……表示パネル，
６２……記録部，６２ａ……メモリＩＦ，６２ｂ……記録媒体，
６３……ＳＤＲＡＭ，６４……フラッシュメモリ，
６５……操作部，６５ａ……タッチパネル，
６６……ボディ制御部，６６ａ……位置指定制御部，６６ｂ……タッチ検出制御部，６６ｃ……指定禁止部，６６ｄ……表示制御部，
６７……通信用バス，６８……ボディ側インターフェース，６９……ボディ側接眼用インターフェース，７０……電源回路，
７１……接眼表示部，７２……ＥＶＦ用インターフェース
【図１】
2014013322.tif 000003
【図２】
2014013322.tif 000004
【図３】
2014013322.tif 000005
【図４】
2014013322.tif 000006
【図５】
2014013322.tif 000007
【図６】
2014013322.tif 000008
【図７】
2014013322.tif 000009
【図８】
2014013322.tif 000010
【図９】
2014013322.tif 000011
【図１０】
2014013322.tif 000012
【図１１】
2014013322.tif 000013
【図１２】
2014013322.tif 000014